(57)【要約】【課題】位置情報を携帯端末を用いてナビゲーション装置に送信する技術において、ユーザの操作負担を軽減することでより利便性を高める技術を提供する。【解決手段】経路探索を行うナビゲーション装置に搭載され、携帯端末から転送される複数の位置情報から目的地を設定するナビ制御装置であって、前記携帯端末から転送される複数の位置情報を受け付ける受付手段と、前記ナビゲーション装置の現在位置に関する現在位置情報を取得する現在位置情報取得手段と、前記現在位置情報取得手段で取得された現在位置情報と前記受付手段で受け付けた複数の位置情報とを比較し、現在位置から目的地までの距離に基づいて、前記複数の位置情報の順位付けを行う順位付け手段と、前記順位付け手段で順位付けた位置情報に基づいて目的地を設定する目的地設定手段と、を備える。【選択図】図８
2009115786.tif 000002
【特許請求の範囲】
【請求項１】
経路探索を行うナビゲーション装置に搭載され、携帯端末から転送される複数の位置情報から目的地を設定するナビ制御装置であって、
前記携帯端末から転送される複数の位置情報を受け付ける受付手段と、
前記ナビゲーション装置の現在位置に関する現在位置情報を取得する現在位置情報取得手段と、
前記現在位置情報取得手段で取得された現在位置情報と前記受付手段で受け付けた複数の位置情報とを比較し、現在位置から目的地までの距離と現在位置から目的地までの所要時間とのうち少なくともいずれか一つを含む所定の条件に基づいて、前記複数の位置情報の順位付けを行う順位付け手段と、
前記順位付け手段で順位付けされた位置情報に基づいて目的地を設定する目的地設定手段と、
を備えるナビ制御装置。
【請求項２】
渋滞情報を取得する渋滞情報取得手段と、
前記渋滞情報取得手段で取得された渋滞情報を記憶する渋滞情報記憶手段と、を更に備え、
前記順位付け手段は、前記渋滞情報取得手段で取得したリアルタイムの渋滞情報と、前記渋滞情報記憶手段に記憶されている渋滞情報とを考慮して、前記複数の位置情報の順位付けを行う、請求項１に記載のナビ制御装置。
【請求項３】
携帯端末から転送される複数の位置情報から、目的地を設定するナビ制御部と、
前記ナビ制御部で設定される目的地までの経路を表示する表示部と、を備えるナビゲーション装置であって、
前記ナビ制御部は、
前記携帯端末から転送される複数の位置情報を受け付ける受付手段と、
前記ナビゲーション装置の現在位置に関する現在位置情報を取得する現在位置情報取得手段と、
前記現在位置情報取得手段で取得された現在位置情報と前記受付手段で受け付けた複数の位置情報とを比較し、現在位置から目的地までの距離と現在位置から目的地までの所要時間とのうち少なくともいずれか一つを含む所定の条件に基づいて、前記複数の位置情報の順位付けを行う順位付け手段と、
前記順位付け手段で順位付けた位置情報に基づいて目的地を設定する目的地設定手段と、を有するナビゲーション装置。
【請求項４】
前記ナビ制御部は、
渋滞情報を取得する渋滞情報取得手段と、
前記渋滞情報取得手段で取得された渋滞情報を記憶する渋滞情報記憶手段と、を更に備え、
前記順位付け手段は、前記渋滞情報取得手段で取得したリアルタイムの渋滞情報と、前記渋滞情報記憶手段に記憶されている渋滞情報とを考慮して、前記複数の位置情報の順位付けを行う、請求項３に記載のナビゲーション装置。
【請求項５】
サーバで管理される情報に含まれる位置情報を携帯端末を介してナビゲーション装置に転送して該ナビゲーション装置の目的地を設定する目的地設定システムであって、
前記サーバは、
予め位置情報が関連付けられている情報を有する記憶手段と、
前記記憶手段が有する情報から複数の所定の情報を抽出する抽出手段と、
抽出された複数の所定の情報をメールに記述して送信するメール送信手段と、を備え、
前記携帯端末は、
前記メール送信手段によって送信されたメールを受信する受信手段と、
前記受信手段で受信されたメールに記述されている複数の情報の夫々に関連付けられている複数の位置情報を前記ナビゲーション装置に転送する転送手段と、を備え、
前記ナビゲーション装置は、
前記携帯端末から転送される複数の位置情報から、目的地を設定するナビ制御部と、
前記ナビ制御部で設定される目的地までの経路を表示する表示部と、を備え、
前記ナビ制御部は、
前記携帯端末から転送される複数の位置情報を受け付ける受付手段と、
前記ナビゲーション装置の現在位置に関する現在位置情報を取得する現在位置情報取得手段と、
前記現在位置情報取得手段で取得された現在位置情報と前記受付手段で受け付けた複数の位置情報とを比較し、現在位置から目的地までの距離と現在位置から目的地までの所要時間とのうち少なくともいずれか一つを含む所定の条件に基づいて、前記複数の位置情報の順位付けを行う順位付け手段と、
前記順位付け手段で順位付けた位置情報に基づいて目的地を設定する目的地設定手段と、を有する目的地設定システム。
【請求項６】
前記ナビ制御部は、
渋滞情報を取得する渋滞情報取得手段と、
前記渋滞情報取得手段で取得された渋滞情報を記憶する渋滞情報記憶手段と、を更に備え、
前記順位付け手段は、前記渋滞情報取得手段で取得したリアルタイムの渋滞情報と、前記渋滞情報記憶手段に記憶されている渋滞情報とを考慮して、前記複数の位置情報の順位付けを行う、請求項５に記載の目的地設定システム。
【請求項７】
サーバで管理される情報に含まれる位置情報を携帯端末を介してナビゲーション装置に転送して該ナビゲーション装置の目的地を設定する目的地設定システムであって、
前記サーバは、
前記ナビゲーション装置の目的地を設定するための複数の位置情報を取得するサーバ側位置情報取得手段と、
前記サーバ側位置情報取得手段で取得された複数の位置情報の順位付けを行うサーバ側順位付け手段と、
前記順位付け手段によって順位付けがされた複数の位置情報をメールに記述して前記携帯端末に対して送信するメール送信手段と、を備え、
前記ナビゲーション装置は、
前記携帯端末から転送される複数の位置情報を受け付ける受付手段と、
前記受付手段で受け付けた複数の位置情報であって、前記サーバによって順位付けがされた位置情報に基づいて目的地を設定する目的地設定手段と、
前記目的地設定手段によって設定される目的地までの経路を表示する表示手段と、を備える目的地設定システム。
【請求項８】
サーバで管理される情報に含まれる位置情報を携帯端末を介してナビゲーション装置に転送して該ナビゲーション装置の目的地を設定する目的地設定システムにおけるサーバであって、
前記ナビゲーション装置の目的地を設定するための複数の位置情報を取得するサーバ側位置情報取得手段と、
前記サーバ側位置情報取得手段で取得された複数の位置情報の順位付けを行うサーバ側順位付け手段と、
前記順位付け手段によって順位付けがされた複数の位置情報をメールに記述して前記携
帯端末に対して送信するメール送信手段と、を備えるサーバ。
【請求項９】
前記サーバ側順位付け手段は、該サーバで取得される渋滞情報と目的地までの所要時間情報とのうちの少なくとも一方を含む順位付け基準情報に基づいて前記複数の位置情報の順位付けを行う、請求項８に記載のサーバ。
【請求項１０】
前記サーバ側順序変更手段は、前記携帯端末からの問い合わせがあった際に、前記順位付けを再度実行する、請求項８又は請求項９に記載のサーバ。
【請求項１１】
前記位置情報は、現在位置に関する現在位置情報と目的地に関する目的地情報に加えて、経由地に関する経由地情報を含む、請求項８から請求項１０のいずれか一に記載のサーバ。
【請求項１２】
サーバで管理される情報に含まれる位置情報を携帯端末を介してナビゲーション装置に転送して該ナビゲーション装置の目的地を設定する目的地設定システムにおけるナビゲーション装置であって、
前記ナビゲーション装置の目的地を設定するための複数の位置情報を取得するサーバ側位置情報取得手段と、前記サーバ側位置情報取得手段で取得された複数の位置情報の順位付けを行うサーバ側順位付け手段と、前記順位付け手段によって順位付けがされた複数の位置情報をメールに記述して前記携帯端末に対して送信するメール送信手段と、を備える前記サーバの該メール送信手段から送信されるメールに記述される複数の位置情報を前記携帯端末を介して受け付ける受付手段と、
前記受付手段で受け付けた複数の位置情報であって、前記サーバによって順位付けがされた位置情報に基づいて目的地を設定する目的地設定手段と、
前記目的地設定手段によって設定される目的地までの経路を表示する表示手段と、を備えるナビゲーション装置。
【発明の詳細な説明】
【技術分野】
【０００１】
本発明は、ナビ制御装置、ナビゲーション装置、サーバ及び目的地設定システムに関する。
【背景技術】
【０００２】
車両に搭載される従来のナビゲーション装置は、目的地を設定する際、住所、名前、電話番号等といった情報を操作部から直接入力する必要があり利便性が悪いという問題があった。このような問題を解決する技術として、例えば特許文献１に記載の技術が知られている。特許文献１には、携帯端末の情報記憶手段に記憶した位置情報を赤外線通信によってナビゲーション装置に送信する技術が開示されている。
【特許文献１】特開２００２−２２４６８号公報
【発明の開示】
【発明が解決しようとする課題】
【０００３】
携帯端末の情報記憶手段に記憶した位置情報を赤外線通信等の送信手段によってナビゲーション装置に送信する技術が知られている。この技術によれば、例えば携帯端末を使用して検索した位置情報を利用してナビゲーション装置による経路誘導を行うことができる。
【０００４】
一方、不動産業者の営業、ボトリングの巡回、保険業務の営業など、車両を用いた商用サービスが知られている。そして、このような商用サービスにおいても、ナビゲーション装置が搭載された車両の利用が近年増加している。従って、商用サービスにおいても、上記技術を利用することができれば、業務の効率化を図ることができるものと考えられる。なお、上記技術によれば、一又は複数の位置情報を携帯端末からナビゲーション装置に送信することができる。しかしながら、例えば、不動産業者の営業では、顧客に対して一度に複数の物件を紹介するなど、商用サービスでナビゲーション装置を利用する場合、一度に複数の位置情報を登録できる方が便利である。また、複数の位置情報を単にナビゲーション装置に送信しただけでは、ナビゲーション装置側で、不動産業者の営業担当者がどこに最初に行くべきかの順位付けを行わなければならず、利便性の悪さが懸念される。
【０００５】
本発明では、上記した問題に鑑み、複数の位置情報を携帯端末を用いてナビゲーション装置に転送する技術において、ユーザの操作負担を軽減することでより利便性を高めることを課題とする。
【課題を解決するための手段】
【０００６】
本発明では、上述した課題を解決するために、携帯端末から転送される複数の位置情報の順位付けを行い、順位付けを行った複数の位置情報に基づいて目的地を設定することとした。
【０００７】
詳細には、本発明は、経路探索を行うナビゲーション装置に搭載され、携帯端末から転送される複数の位置情報から目的地を設定するナビ制御装置であって、前記携帯端末から転送される複数の位置情報を受け付ける受付手段と、前記ナビゲーション装置の現在位置に関する現在位置情報を取得する現在位置情報取得手段と、前記現在位置情報取得手段で取得された現在位置情報と前記受付手段で受け付けた複数の位置情報とを比較し、現在位置から目的地までの距離と現在位置から目的地までの所要時間とのうち少なくともいずれか一つを含む所定の条件に基づいて、前記複数の位置情報の順位付けを行う順位付け手段と、前記順位付け手段で順位付けされた位置情報に基づいて目的地を設定する目的地設定
手段と、を備える。
【０００８】
本発明によれば、複数の位置情報を携帯端末から受け付けることができるので、その都度目的地を設定するといった煩わしさを解消することができる。また、本発明によれば、受け付けた複数の位置情報と現在位置情報とを比較し、所定の条件に基づいて順位付けがなされた複数の位置情報に基づいて目的地が設定されるので、ユーザ自ら順位付けするといった煩わしさを解消することができる。すなわち、ユーザの操作負担を軽減することができる。また、本発明が搭載されるナビゲーション装置を、不動産業者の営業、ボトリングの巡回、保険業務の営業など、車両を用いた商用サービスで使用される車両に搭載した場合には、一度に複数の位置情報をナビゲーション装置に転送し、また、転送した位置情報が例えば距離情報に基づいて順位付けされた上で目的地として設定されるので、業務の効率化を図ることができる。
【０００９】
携帯端末から転送される複数の位置情報は、サーバで管理される情報に関連付けて蓄積することができる。この複数の位置情報は、メールに記述して送信でき、送信されたメールに記述されている複数の位置情報を携帯端末からナビゲーション装置へ転送することで、目的地の設定が可能となる。すなわち、本発明のナビ制御装置は、ナビ制御装置が搭載されるナビゲーション装置と通信可能な携帯端末と、この携帯端末にメールを送信するサーバと、と共に使用することでより優れた性能を発揮する。そこで、まずサーバ及び携帯端末について説明する。
【００１０】
サーバは、予め位置情報が関連付けられている情報を有する記憶手段と、記憶手段が有する情報から複数の所定の情報を抽出する抽出手段と、抽出された複数の所定の情報をメールに記述して送信するメール送信手段と、を備える構成とすることができる。
【００１１】
予め位置情報が関連付けられている情報とは、例えば、位置情報としての経度緯度情報が関連付けられている、物件情報や店舗情報等である。抽出手段による抽出は、サーバが、地域情報、時間情報、距離情報、といった所定の検索条件に基づいて行うことができる。メールに記述して送信するとは、物件情報や店舗情報とともに物件や店舗の所在地を示す位置情報をメールに記述して送信することを意味する。本発明では、メールを利用することで一度に複数の位置情報を同時に携帯端末へ送信することが可能となる。
【００１２】
携帯端末は、メール送信手段によって送信されたメールを受信する受信手段と、受信手段で受信されたメールに記述されている複数の情報の夫々に関連付けられている複数の位置情報を前記ナビゲーション装置に転送する転送手段と、を備える構成とすることができる。これにより、サーバから送信されたメールに記述されている複数の位置情報を同時にナビゲーション装置へ転送することが可能となる。
【００１３】
次に本発明のナビ制御部の各構成について説明する。受付手段は、携帯端末から転送される複数の位置情報を受け付ける。携帯端末からの転送は、例えば赤外線通信によって行うことができる。但し、これに限定されない。電気的に接続されていればよく、無線、有線、いずれであってもよい。
【００１４】
現在位置情報取得手段は、本発明のナビ制御装置が搭載されるナビゲーション装置の現在位置情報を取得する。現在位置の取得は、例えば、従来のナビゲーション装置に備えられているＧＰＳ（Global Positioning System）機能を利用すればよい。
【００１５】
順位付け手段は、携帯端末から送信される複数の位置情報に対して順位付けを行う。より具体的には、順位付け手段は、現在位置情報取得手段で取得された現在位置情報と受付手段で受け付けた複数の位置情報とを比較し、現在位置から目的地までの距離と現在位置
から目的地までの所要時間とのうち少なくともいずれか一つを含む所定の条件に基づいて、複数の位置情報の順位付けを行う。現在位置から目的地までの距離と現在位置から目的地までの所要時間の算出は、従来のナビゲーション装置の技術を適宜用いることができる。なお、現在位置から一の目的地までの距離や所要時間は、誘導経路によって異なる。つまり、現在位置からある目的地までの距離や所要時間は、検索条件（例えば、高速道路の使用の有無等）によって異なってくる。従って、夫々の目的地毎に更に複数の誘導経路を算出する場合、例えば、高速道路の使用の有無等の検索条件を統一した上で夫々最も適切な誘導経路を選択し、選択された最適な誘導経路における距離や所要時間を比較することが好ましい。これにより、より正確な比較、及び順位付けが可能となる。
【００１６】
目的地設定手段は、順位付け手段で順位付けがなされた複数の位置情報に基づいて目的地を設定する。例えば、現在位置から目的地までの距離に基づいて順位付けした場合であって、距離が短い順に順位付けを行った場合には、現在位置から目的地までの距離が最も短い目的地が最初の目的地として設定されることになる。
【００１７】
ここで、本発明は、渋滞情報を取得する渋滞情報取得手段と、前記渋滞情報取得手段で取得された渋滞情報を記憶する渋滞情報記憶手段と、を更に備え、前記順位付け手段は、前記渋滞情報取得手段で取得したリアルタイムの渋滞情報と、前記渋滞情報記憶手段に記憶されている渋滞情報とを考慮して、前記複数の位置情報の順位付けを行うようにしてもよい。
【００１８】
渋滞情報取得手段は、渋滞情報を取得する。渋滞情報の取得は、例えば、従来のナビゲーション装置に備えられているＶＩＣＳ（Vehicle Information and Communication System）機能を利用すればよい。順位付けを行うに際して、渋滞情報を考慮することでより適切な順位付けを行うことができる。ここで、例えば、ＶＩＣＳを利用して渋滞情報を取得する場合、リアルタイムな渋滞情報は、タイムラグが発生するなど、実際の混雑状況と取得した渋滞情報との間に誤差が生じる虞がある。そこで、本発明では、順位付けに際し、リアルタイムの渋滞情報だけでなく、過去の渋滞情報を考慮することとした。渋滞情報記憶手段は、渋滞情報取得手段で取得された渋滞情報を記憶する。例えば、渋滞情報記憶手段は、誘導経路毎の混雑状況を曜日や時間帯に分けて記憶する。混雑状況は、例えば、混雑、順調といったように段階的に記憶すればよい。位置情報の順位付けを行うに際して、このような渋滞情報記憶手段に記憶されている過去の渋滞情報を考慮することで、より適切な順位付けを行うことができる。
【００１９】
ここで、本発明は、上述したナビ制御装置が搭載されるナビゲーション装置としてもよい。具体的には、本発明は、携帯端末から転送される複数の位置情報から、目的地を設定するナビ制御部と、前記ナビ制御部で設定される目的地までの経路を表示する表示部と、を備えるナビゲーション装置であって、前記ナビ制御部は、前記携帯端末から転送される複数の位置情報を受け付ける受付手段と、前記ナビゲーション装置の現在位置に関する現在位置情報を取得する現在位置情報取得手段と、前記現在位置情報取得手段で取得された現在位置情報と前記受付手段で受け付けた複数の位置情報とを比較し、現在位置から目的地までの距離と現在位置から目的地までの所要時間とのうち少なくともいずれか一つを含む所定の条件に基づいて、前記複数の位置情報の順位付けを行う順位付け手段と、前記順位付け手段で順位付けた位置情報に基づいて目的地を設定する目的地設定手段と、を有する。
【００２０】
また、本発明は、上述したナビゲーション装置と、携帯端末と、サーバとを備える目的地設定システムとしてもよい。上述したナビゲーション装置と、携帯端末と、サーバとを一つのシステムとして機能させることで、例えば、不動産業者の営業、ボトリングの巡回、保険業務の営業など、車両を用いた商用サービスにおける業務の効率を向上することが
できる。
【００２１】
ここで、上述した態様では、ナビゲーション装置側で順位付けを行ったが、例えばＶＩＣＳは、タイムラグが発生することも考えられ、サーバの方がナビゲーション装置よりもリアルタイムな情報を取得できる場合がある。そこで、本発明は、上述した態様とは異なる態様として、複数の位置情報を携帯端末へ送信する際に、サーバ側で順位付けを行うようにしてもよい。より詳細には、本発明は、サーバで管理される情報に含まれる位置情報を携帯端末を介してナビゲーション装置に転送して該ナビゲーション装置の目的地を設定する目的地設定システムであって、前記サーバは、前記ナビゲーション装置の目的地を設定するための複数の位置情報を取得するサーバ側位置情報取得手段と、前記サーバ側位置情報取得手段で取得された複数の位置情報の順位付けを行うサーバ側順位付け手段と、前記順位付け手段によって順位付けがされた複数の位置情報をメールに記述して送信するメール送信手段と、を備える。そして、前記携帯端末は、前記メール送信手段によって送信されたメールを受信する受信手段と、前記受信手段で受信されたメールに記述されている複数の位置情報を前記ナビゲーション装置に転送する転送手段と、を備える。また、前記ナビゲーション装置は、前記携帯端末から転送される複数の位置情報から、目的地を設定するナビ制御部と、前記ナビ制御部で設定される目的地までの経路を表示する表示部と、を備える。更に、前記ナビ制御部は、前記携帯端末から転送される複数の位置情報を受け付ける受付手段と、前記受付手段で受け付けた複数の位置情報であって、前記サーバによって順位付けがされた位置情報に基づいて目的地を設定する目的地設定手段と、を有する。
【００２２】
本発明では、サーバ側で複数の位置情報の順位付けが可能である。この順位付けを行う複数の位置情報は、例えば、他のコンピュータから取得することができる。他のコンピュータには、法人であれば営業所等に設置されるコンピュータ、個人であれば自宅等に設置されるコンピュータが例示される。また、他のコンピュータは、携帯端末であってもよい。これら他のコンピュータから例えばメール等に記述してサーバに送信することで、サーバ側位置情報取得手段は、複数の位置情報を取得することが可能となる。また、順位付けを行う複数の位置情報は、上述したナビ制御装置の受付手段で受け付けた複数の位置情報であってもよい。
【００２３】
サーバ側順位付け手段は、取得された位置情報の順位付けを行う。位置情報の順位付けは、例えば、サーバで取得される渋滞情報と目的地までの所要時間情報とのうちの少なくとも一方を含む順位付け基準情報に基づいて行うことができる。なお、サーバのメール送信手段や、携帯端末の受信手段、転送手段、ナビゲーション装置のナビ制御部、表示部等については、上述したナビゲーション装置側で順位付けを行う態様における構成と基本的には同じであることから説明を省略する。
【００２４】
ここで、サーバ側順序変更手段は、前記携帯端末からの問い合わせがあった際に、前記順位付けを再度実行するようにしてもよい。すなわち、携帯端末からの問い合わせをトリガとして、順位付けを実行してもよい。これにより、必要な時に、順位付けを実行することができる。必要な時とは、例えば、ナビゲーション装置のＶＩＣＳの受信状況が低下している場合が例示される。
【００２５】
また、前記位置情報は、現在位置に関する現在位置情報と目的地に関する目的地情報に加えて、経由地に関する経由地情報を含んでいてもよい。これにより、目的地の設定だけでなく、目的地までのルートを設定することが可能となる。
【００２６】
なお、本発明は、上述した目的地設定システムを構成するサーバ若しくはナビゲーション装置としてもよい。また、上述したナビ制御装置、サーバ、携帯端末で実行される処理
を実現させる方法、又はプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００２７】
本発明によれば、複数の位置情報を携帯端末を用いてナビゲーション装置に転送する技術において、ユーザの操作負担を軽減することでより利便性を高めることができる。
【発明を実施するための最良の形態】
【００２８】
本発明のナビ制御装置、ナビゲーション装置、目的地設定システムの実施形態について説明する。なお、以下の説明では、本発明の目的地設定システムを不動産業者の営業業務に適用した場合を例に説明する。従って、本発明のナビ制御装置が搭載されたナビゲーション装置は、不動産業者の営業担当者が運転する車両に搭載されている。
【００２９】
[第一実施形態]
＜構成＞
図１は、第一実施形態の目的地設定システムの概略構成を示す。同図に示すように、本実施形態の目的地設定システム１は、サーバ２と、携帯端末３と、車両５に搭載されたナビゲーション装置４と、によって構成されている。
【００３０】
（サーバ）
図２は、サーバ２の機能ブロック図を示す。サーバ２は、ＣＰＵ（中央演算処理装置）１１、制御部１１ａ、操作部１４、表示部１５から構成されている。制御部１１ａは、メモリ１３、記憶部（ハードディスクドライブ）１２、抽出部１６、抽出された複数の所定の情報をメールに記述して送信するメール送信部１７から構成されている。
【００３１】
ＣＰＵ１１は、バスを介して上述した記憶部１２等の各ハードウェアと接続され、記憶部１２等のハードウェアを制御すると共に、例えばメモリ１３としてのＲＯＭに格納された制御プログラムに従って、所定の処理を実行する。
【００３２】
記憶部１２は、ハードディスクドライブにより構成することができる。メモリ１３は、揮発性のＲＡＭ（Random Access Memory）と、不揮発性のＲＯＭ（Read Only Memory）を含む。ＲＯＭには、フラッシュメモリ、ＥＰＲＯＭ（Erasable Programmable Read-Only Memory）、ＥＥＰＲＯＭ（Electrically Erasable Programmable Read-Only Memory）のような書き換え可能な半導体メモリを含む。
【００３３】
操作部１４は、コンピュータの入力装置、例えば、キーボード、ポインティングデバイス等が含まれる。表示部１５は、例えば、液晶表示装置、プラズマディスプレイパネル、ＣＲＴ（Cathode Ray Tube）、エレクトロルミネッセンスパネル等である。
【００３４】
記憶部１２は、予め位置情報が関連付けられている情報を格納する。ここで、図３は、記憶部１２に格納されるデータベースの一例を示す。図３は、不動産業者用の営業業務用のデータベースであり、このデータベースは、担当者名、物件名、物件毎のＵＲＬ（Uniform Resource Locator）、経度緯度、住所、電話番号、築年数、最寄り駅からの時間、間取り、納期情報によって構成されている。納期情報とは、大家との鍵の受け渡しの約束時間や、物件を見学する際のお客の見学時間等である。なお、本実施形態の目的地設定システム１は、ボトリングの巡回、保険業務の営業など、商用サービス毎のデータベースを予
め設けることで、様々な業種への対応が可能となる。
【００３５】
抽出部１６は、不動産業者の営業担当者又は営業担当者に業務を振り分ける管理者により入力された検索条件（住所、電話番号、築年数、最寄り駅からの時間、間取り等）に基づいて、記憶部１２に格納されている情報から目的地となる物件情報を抽出する。
【００３６】
メール送信部１７は、抽出された複数の物件情報をメール（電子メール）に記述して送信する。メールの形式は、特に限定されず、テキスト形式、ＨＴＭＬ（HyperText Markup
Language）形式のいずれであってもよい。メールに記述する情報は、携帯端末３からナビゲーション装置４に転送した際に、ナビゲーション装置４において目的地を設定するための情報として、少なくとも位置情報（経度緯度）を含んでいる。また、単に経度緯度だけでは、どこの位置情報か識別できないため、名称（例えば、物件名）やＵＲＬ等と共に記述することが好ましい。また、営業担当者毎の物件情報が管理されるＵＲＬ、送信されたメールに貼り付けられた送信ボタン２９を押すことで、経度緯度の送信を可能とするためのコマンドを記述してもよい。なお、他の情報（例えば、築年数、最寄り駅からの時間、間取り）についてもナビゲーション装置４の表示部に表示することで情報源として活用することができる。更に、上記メールには、メールに記述されている複数の位置情報を携帯端末３からナビゲーション装置４へ転送するコマンドを記述しておくことが好ましい。これにより、携帯端末３からナビゲーション装置４への転送を容易に行うことができる。すなわち、携帯端末３において、位置情報を転送するための独自のアプリケーションプログラムを新たに立ち上げるといったことを行うことなく、複数の位置情報の転送を一度に行うことができる。
【００３７】
（携帯端末）
図４は、携帯端末３の機能ブロック図を示す。図４に示すように、携帯端末３は、ＣＰＵ（中央演算処理装置）２１、制御部２１ａ、操作部２４、表示部２５、外部機器と接続可能なインターフェース部２６から構成されている。携帯端末３の制御部２１ａは、メモリ２３、受信部２７、転送部２８から構成されている。
【００３８】
ＣＰＵ２１は、バス２０を介して上述したメモリ２３等の各ハードウェアと接続され、記憶部２２等のハードウェアを制御すると共に、例えばメモリ２３としてのＲＯＭに格納された制御プログラムに従って、所定の処理を実行する。メモリ２３は、揮発性のＲＡＭと、不揮発性のＲＯＭとを含む。操作部２４は、携帯端末３を操作するのに必要な一般的な操作ボタンであればよく、タッチディスプレイ方式であってもよい。本実施形態のインターフェース部２６は、ナビゲーション装置４と通信可能な赤外線ポートによって構成されている。但し、インターフェース部２６は、ナビゲーション装置４と電気的に接続可能なものであればよく、有線、無線を問わない。インターフェース部２６は、ケーブルを接続するコネクタであってもよく、また、ブルトゥースの送信部であってもよい。
【００３９】
メモリ２３は、携帯端末３に必要な各種制御プログラムを格納する。また、メモリ２３は、サーバ２から送信された複数の位置情報を一時的に格納することもできる。受信部２７は、サーバ２から送信されたメールを受信する。また、転送部２８は、受信部２７で受信したメールに記述されている複数の位置情報を赤外線通信によってナビゲーション装置４に転送する。なお、受信部２７及び転送部２８は、ＣＰＵ２１上で実行されるコンピュータプログラムとして構成することができる。また、受信部２７及び転送部２８は、専用のプロセッサとして構成してもよい。
【００４０】
ここで、図５は、サーバ２からある営業担当者の携帯端末３に送信されたメールの表示状態の一例を示す。同図に示すように、携帯端末３の表示部２５には、物件名と、物件毎の納期情報、「物件情報を取得しますか」とのコメント、営業担当者毎の物件情報が管理
されるＵＲＬ情報が表示されている。なお、このようなメールは、例えばサーバ２によって、所定の時間（例えば、毎朝８時）に自動送信される。送信時間は、サーバ２側で適宜変更できる。また、メールの送信は、自動送信ではなく、営業担当者に業務を振り分ける管理者が、所望の時間に手動で送信してもよい。
【００４１】
本実施形態においては、図５に示す携帯端末３の表示部２５に表示されるＵＲＬを選択することでＷｅｂページへの移行が可能である。図６は、営業担当者が自分の担当である物件を取得する場合に必要なＵＲＬを選択した際に携帯端末３の表示部２５に表示されるＷｅｂページの一例を示す。図６に示すＷｅｂページには、物件情報と、物件情報毎の納期情報と、「赤外線通信を開始しますか？」とのコメントと、物件情報の夫々に関連付けられている位置情報の送信を実行する送信ボタン２９が表示されている。なお、Ｗｅｂページでは、物件情報が納期情報に基づいて、納期時間が早い順に並び換えられている。不動産業者の営業担当者は、Ｗｅｂページに表示されている物件を確認し、この内容でよければ、送信ボタン２９を押すことでナビゲーション装置４に対して、複数の位置情報を同時に転送することができる。なお、ナビゲーション装置４では、携帯端末３からの位置情報の受け付けを可能とする為、予め赤外線通信を可能な状態にしておく必要がある。
【００４２】
なお、営業担当者が自分の担当である物件を取得する場合に必要なＵＲＬを選択し、Ｗｅｂページが表示されるまでの間に新たな物件情報が入ったような場合、新たな物件情報もＷｅｂページに表示されるようにすることができる。また、Ｗｅｂページ上では、携帯端末３の操作部を介して物件情報の順序を並び替えることもできる。
【００４３】
（ナビゲーション装置）
次に車両５に搭載されるナビゲーション装置４について説明する。図７は、ナビゲーション装置４の概略構成を示す。ナビゲーション装置４は、ディスク再生部３１と、メモリカード再生部３２と、ＴＶ受信部３３と、ラジオ受信部３４と、ディスプレイ３５と、ＧＰＳ情報受信部３６と、操作部３７と、赤外線通信部３８と、これらと電気的に接続されるナビ制御部３０と、により構成されている。
【００４４】
ディスク再生部３１は、ＣＤやＤＶＤ等の光ディスクに記録されているコンテンツデータを再生する。ディスク再生部３１は、ＣＤ／ＤＶＤデッキによって構成することができる。メモリカード再生部３２は、ＵＳＢメモリ、ＳＤメモリカードといったナビゲーション装置４に着脱可能な移動型記憶媒体に格納されているコンテンツデータを再生する。ＴＶ受信部３３は、ＤＴＶ（Digital Television）放送やワンセグ放送を受信する。ＴＶ受信部３３は、既存のチューナによって構成することができる。ラジオ受信部３４は、ＦＭ放送、ＡＭ放送、ＶＩＣＳ情報等を受信する。ラジオ受信部３４は、既存のチューナによって構成することができる。ディスプレイ３５は、地図情報、誘導経路の他、例えば位置情報と共に携帯端末から転送された各種情報（例えば、築年数、最寄り駅からの時間、間取り）を表示する。ディスプレイ３５は、タッチパネル方式であることが好ましいが、既存の様々なディスプレイを適用することができる。ＧＰＳ情報受信部３６は、ＧＰＳ情報を受信する。ＧＰＳ情報受信部３６は、既存のＧＰＳ用受信アンテナによって構成することができる。操作部３７は、ユーザの操作に応じて、操作ボタンに対応する電気信号をナビ制御部３０へ送信する。操作部３６は、ナビゲーション装置４に設けてもよく、また、遠隔操作を可能とするリモートコントローラであってもよい。赤外線通信部３８は、携帯端末３から出力される赤外線を受信する。
【００４５】
なお、ナビゲーション装置４は、車両５に対して取り外し可能ないわゆるポータブルナビであってもよい。その場合には、ナビゲーション装置４は、上記に加えて、スピーカやメモリカードを内蔵する構成とすればよい。スピーカは、ディスク再生部３１やメモリカード再生部３２で再生される音声を出力する。メモリカードには、ＵＳＢメモリ、メモリ
カードといった移動型記憶媒体が例示される。
【００４６】
次に、上記ナビゲーション装置４に搭載されるナビ制御部３０ついて説明する。図８は、ナビ制御部３０の機能ブロック図を示す。なお、図８に示す機能ブロック図では、上述したディスク再生部３１やメモリカード再生部３２を制御する制御部については、図示を省略するものとする。
【００４７】
図８に示すように、ナビ制御部３０は、受付部４１と、現在位置情報取得部４２と、順位付け部４３と、渋滞情報取得部４４と、渋滞情報記憶部４５と、目的地設定部４６と、によって構成されている。なお、ナビ制御部３０は、ＣＰＵ、メモリ等を含むコンピュータとコンピュータ上で実行されるプログラムによって実現することができる。
【００４８】
受付部４１は、赤外線通信部３８で受信した携帯端末３からの赤外線を通じて複数の位置情報（物件ＡからＥの経度緯度）と、位置情報毎の納期情報とを受け付ける。なお、位置情報及び納期情報以外の情報についても、受付部４１が受け付けることができる。現在位置情報取得部４２は、ナビゲーション装置４の現在位置に関する現在位置情報をＧＰＳ情報受信部３６から取得する。順位付け部４３は、納期情報を優先した上で、現在位置情報取得部４２で取得された現在位置情報と受付部４１で受け付けた複数の物件情報の位置情報（物件ＡからＥの経度緯度）とを比較し、現在位置から目的地までの距離と現在位置から目的地までの所要時間とのうち少なくともともいずれか一つを含む所定の条件に基づいて、位置情報の順位付けを行う。目的地設定部４６は、位置情報の順位付けと、後述する渋滞情報取得部４４で取得されたＶＩＣＳ情報、渋滞情報記憶部４５に記憶された渋滞情報に基づいて最初の目的地を設定する。なお、順位付け部４３の処理フローについては、後述する。
【００４９】
渋滞情報取得部４４は、渋滞情報を取得する。すなわち、渋滞情報取得部４４は、ラジオ受信部３４で受信したＶＩＣＳ情報を取得する。渋滞情報記憶部４５は、渋滞情報取得部４４で取得した渋滞情報を記憶する。ここで、図９は、渋滞情報のデータベースの一例を示す。図９に示すデータベースは、誘導経路（ルート）毎の混雑状況が段階的に表現されることで構成されている。また、混雑状況は、時間帯、曜日毎に区分けされている。なお、混雑レベルは、混雑レベル５が最も混雑する状態を示している。このように取得した渋滞情報をデータベース化し、位置情報の順位付けの際に渋滞情報を考慮することで、ＶＩＣＳ情報受信時のタイムラグ等による誤差に左右されない、より適正な順位付けを行うことが可能となる。
【００５０】
なお、渋滞情報取得部４４は、揮発性のＲＡＭと、不揮発性のＲＯＭとを含む。また、ナビ制御部３０は、受付部４１と、現在位置情報取得部４２と、順位付け部４３と、渋滞情報取得部４４の夫々は、ＣＰＵ３０ａ上で実行されるコンピュータプログラムとして構成することができる。また、これらは、専用のプロセッサとして構成してもよい。
【００５１】
＜処理フロー＞
次に本実施形態の目的地設定システム１で行われる目的地設定処理フローについて説明する。図１０は、目的地設定システム１で行われる目的地設定処理フローを示す。
【００５２】
不動産業者の営業担当者又は営業担当者に業務を振り分ける管理者により操作部１４から検索条件が入力されると、目的地設定処理フローが開始される。操作部１４から検索条件が入力されて、目的地設定処理フローが開始されると、抽出部１６は、記憶部１２に格納されている物件情報（図３参照）から検索条件に合致する物件情報を複数抽出する（ステップＳ０１）。物件情報の抽出が完了すると、ステップＳ０２へ進む。
【００５３】
抽出された複数の所定の物件情報（本実施形態では、物件ＡからＥに関する情報）がメール（電子メール）に記述され、送信される（ステップＳ０２）。すなわち、サーバ２のメール送信部１７によって、物件ＡからＥの夫々に対応する経度緯度、納期情報がメールに記述される。経度緯度に加えて、営業担当者毎の物件情報が管理されるＵＲＬ、送信されたメールに貼り付けられた送信ボタン２９を押すことで、経度緯度や納期情報を送信を可能とするためのコマンドも、メール送信部１７によって記述される。メールへの記述が完了すると、経度緯度等が携帯端末３へ送信される。メールの送信が完了すると、ステップＳ０３へ進む。
【００５４】
なお、本実施形態では検索条件に従って、サーバ２が自動的に物件情報（物件ＡからＥに関する情報）を抽出し、抽出された物件情報がメールに記述されて送信されているが、例えば、サーバ２にアクセス可能な者（例えば、営業担当者に業務を振り分ける管理者）が、データベースを参照し、手動で所定の情報をピックアップし、メールに記述して送信するようにしてもよい。
【００５５】
ステップＳ０３では、携帯端末３の受信部２７によって、サーバ２から送信されたメールが受信される。受信したメール画面に表示されているＵＲＬへアクセスすると、携帯端末３の表示部２５にはＷｅｂページが表示される（図６参照。）次にステップ０４では、Ｗｅｂページに設けられている送信ボタン２９が押されることで、Ｗｅｂページに表示されている複数の位置情報が赤外線通信によってナビゲーション装置４に転送される。ナビゲーション装置４への位置情報の転送が完了すると、ステップＳ０５へ進む。なお、本実施形態では、営業担当者毎の物件情報が管理されるＵＲＬへ一度アクセスし、Ｗｅｂページに設けられている送信ボタン２９によって位置情報を転送しているが、サーバ２から送信されるメールに送信ボタン２９を設けておき、メール画面から直接、位置情報を転送するようにしてもよい。
【００５６】
ステップＳ０５では、ナビゲーション装置４の受付部４１によって、赤外線通信部３８で受信した携帯端末３からの赤外線を通じて複数の位置情報（物件ＡからＥの経度緯度）、物件毎の納期情報が取得される。ナビゲーション装置４の受付部４１による位置情報等の取得が完了するとステップＳ０６へ進む。
【００５７】
ステップＳ０６では、納期情報を優先した上で、現在位置情報取得部４２で取得された現在位置情報と受付部４１で受け付けた複数の位置情報とが比較され、所定の条件に基づいて位置情報の順位付けが行われる。より具体的には、順位付け部４３によって、ＧＰＳ情報受信部３６で受信された現在位置情報（経度緯度）と受付部４１で取得した複数の位置情報（物件ＡからＥの経度緯度）とが比較され、距離が短い順に順位付けが行われる。例えば、現在位置から物件Ｂまでの距離が最も短い場合、物件Ｂが最初の目的地となる。
【００５８】
なお、現在位置情報の取得は、ステップＳ０５、０６による処理とは、別の処理として、所定の間隔で繰り返される。すなわち、現在位置情報は、現在位置情報取得部４２によって、随時取得される。順位付け部４３は、このように所定の間隔で取得された現在位置情報と受付部４１で取得した複数の位置情報とを比較することで順位付けを行う。
【００５９】
次に、ステップ０７では、ステップ０６で順位付けされた位置情報に対して、現在（リアルタイム）の渋滞情報が考慮される。すなわち、順位付け部４３により、渋滞情報取得部４４で取得された現在の渋滞情報が考慮され、必要に応じて再度順位付けが行われる。つまり、順位付け部４３は、現在の渋滞情報を考慮すると、ステップＳ０６で実行した位置情報の順位付けが適当でないと判断した場合、渋滞情報を考慮した順位付けを再度実行する。現在の渋滞情報を考慮した順位付けが完了すると、ステップＳ０８へ進む。
【００６０】
ステップ０８では、渋滞情報記憶部４５に記憶されている過去の渋滞情報が考慮される。すなわち、順位付け部４３により、現在の渋滞情報が考慮された順位付けに対して、更に過去の渋滞情報が考慮され、必要に応じて再度順位付けが行われる。例えば、ステップＳ０６において、物件Ｂを最初の目的地として順位付けし、現在の渋滞情報では、特に混雑していなかった場合であっても、物件Ｅまでの誘導経路としてルートＥが選択されており、物件の案内が土日祝日の午後であるような場合（図１０参照）、混雑レベルを考慮して再度順位付けが行われる。その結果、例えば、物件Ｃ、物件Ｂ、物件Ａ、物件Ｄ、物件Ｅといった順位付けが行われる。このように、現在の渋滞情報のみならず、過去の渋滞情報をも考慮することで、タイムラグ等による誤差に左右されない、より適正な順位付けを行うことが可能となる。過去の渋滞情報を考慮した順位付けが完了したらステップＳ０９へ進む。
【００６１】
なお、渋滞情報の取得は、ステップＳ０５からステップＳ０７による処理とは、別の処理として、所定の間隔で繰り返される。すなわち、渋滞情報は、渋滞情報取得部４４が、例えば５分間隔で取得されるＶＩＣＳ情報を取得することで行われる。また、本実施形態では、取得された渋滞情報が、渋滞情報記憶部４５に随時記憶される（図９参照）。従って、渋滞情報記憶部４５への渋滞情報の記憶、すなわち図９に例示されるデータベースの生成処理も、ステップＳ０５からステップＳ０７による処理とは、別の処理として行えばよい。
【００６２】
ステップＳ０９では、順位付けが実行された位置情報に基づいて目的地の設定が行われる。例えば、ステップＳ０８において、物件Ｃ、物件Ｂ、物件Ａ、物件Ｄ、物件Ｅといった順位付けが行われた場合、目的地設定部４６によって、最初の目的地が物件Ｃと設定され、経路案内が開始される。物件Ｃへの経路案内が完了すると、次の目的地として設定されている物件Ｂの経路案内が開始されることになる。なお、図１１は、ナビゲーション装置４のディスプレイ３５の表示状態を示す。ディスプレイ３５には、現在地から最初の目的地として設定された物件Ｃまでの経路と、その他の物件（物件Ｃ、物件Ｂ、物件Ａ、物件Ｄ、物件Ｅ）が表示されている。
【００６３】
＜効果＞
以上説明した本実施形態の目的地設定システム１によれば、複数の位置情報を携帯端末から同時に受け付けることができるので、その都度目的地を設定するといった煩わしさを解消することができる。また、本実施形態の目的地設定システム１によれば、現在位置から目的地までの距離に基づいて順位付けをした上で目的地が設定されるので、複数の位置情報の優先順位を不動産業者の営業担当者が自ら順位付けする必要がなく、不動産業者の営業担当者の操作負担を軽減することができる。したがって、不動産業者の営業業務の効率化を図ることができる。
【００６４】
なお、上述した実施形態では、不動産業者の営業に適用した場合を例に説明したが、これに限定されるものではない。目的地設定システムは、例えば、ボトリングの巡回、保険業務の営業にも好適に用いることができる。また、例えばレンタカーに本発明のナビゲーション装置を搭載することで、一般ユーザが行楽地巡りをしたいような場合に好適に活用することができる。
【００６５】
[第二実施形態]
次に第二実施形態に係る目的地設定システムについて説明する。第二実施形態においても、目的地設定システムを不動産業者の営業業務に適用した場合を例に説明する。第二実施形態に係る目的地設定システムは、第一実施形態と異なり、営業所に設置されたデータ処理装置１００によって、営業担当者が回る物件リストを巡回リスト（複数の位置情報を含む）として作成し、これを営業担当者の携帯端末へ送信する。また、第二実施形態に係
る目的地設定システムは、データ処理装置１００から送信された巡回リストに含まれる複数の位置情報（複数の物件）の順序がサーバ２ａによって順位付けされることを主な特徴とする。以下、具体的に説明する。なお、第一実施形態において説明した構成と同様の構成については、同一の符号を付すことでその詳細な説明は省略するものとする。
【００６６】
＜構成＞
図１２は、第二実施形態の目的地設定システムの概略構成を示す。同図に示すように、本実施形態の目的地設定システム１ａは、サーバ２ａと、携帯端末３と、車両５に搭載されたナビゲーション装置４と、データ処理装置１００と、によって構成されている。
【００６７】
（データ処理装置）
図１３は、データ処理装置１００のハードウェア構成を示す。データ処理装置１００は、例えば、パーソナルコンピュータと、パーソナルコンピュータで実行されるコンピュータプログラムによって実現される。また、このデータ処理装置１００は、複数のパーソナルコンピュータにサービスを提供するサーバ上のプログラムとして実現してもよい。また、データ処理装置１００は、複数のコンピュータが連携して機能を提供するコンピュータシステムとして実現してもよい。例えば、１以上のデータベースサーバと、１以上のシミュレータと、１以上のウェブサーバとによって、データ処理装置１００を実現してもよい。
【００６８】
本実施形態に係るデータ処理装置１００は、ＣＰＵ１０１と、メモリ１０２と、各種インターフェース１０３、１０５、１０７、１０９、１１１、１１３と、これらのインターフェースを通じてＣＰＵ１０１に接続される周辺装置とを含む。図１３では、周辺装置の例として、ハードディスク１０４、入力装置１０６、表示装置１０８、ネットワークインターフェース１１０、着脱可能記憶媒体駆動装置１１２、およびメモリカード・リーダ・ライタ１１７が示されている。
【００６９】
ＣＰＵ１０１は、メモリ１０２に展開されたプログラムを実行し、データ処理装置１００の機能を提供する。メモリ１０２は、ＣＰＵ１０１が実行可能な形式でプログラムを保持する。また、メモリ１０２は、ＣＰＵ１０１が処理するデータを保持する。メモリ１０２は、ＤＲＡＭ（ダイナミックランダムアクセスメモリ）、ＲＯＭ（リードオンリーメモリ）等である。ただし、メモリ１０２として、フラッシュメモリを用いてもよい。
【００７０】
ハードディスク駆動装置１０４は、ハードディスクにアクセスし、ＣＰＵ１０１が処理したデータ、ＣＰＵ１０１で実行されるプログラム等を記憶する。入力装置１０６は、例えば、キーボード等の文字入力装置、マウス等のポインティングデバイスなどである。表示装置１０８は、例えば、液晶ディスプレイ、エレクトロルミネッセンスパネル等である。
【００７１】
ネットワークインターフェース１１０は、例えば、ＬＡＮ（ローカルエリアネットワーク）基板である。着脱可能媒体駆動装置１１２は、例えば、ＣＤ一ＲＯＭ、ＤＶＤ、フラッシュメモリカード等の駆動装置である。なお、ＣＰＵ１０１で実行されるプログラムは、通常、ネットワークインターフェース１１０、あるいは、着脱可能記憶媒体駆動装置１１２を通じて、ハードディスクに保存され、メモリ１０２に展開される。メモリカード・リーダ・ライタ１１７の構成および作用は、カードメモリインターフェース１７と同様である。
【００７２】
（データ処理装置の画面例）
次にデータ処理装置１００が、ナビゲーション装置４に表示する画面例について説明する。図１４は、巡回リストを構成する位置情報を管理する位置情報管理画面２００の例で
ある。図１４では、位置情報管理画面２００に加えて、さらに、編集入力画面２５０が位置情報管理画面２００の下方に表示されている。
【００７３】
位置情報管理画面２００は、メニューバー２０２と、タブ表示部２０３と、リスト表示欄２０６と、リスト表示欄２０６を操作する操作ボタン列２０４とを含んでいる。このリスト表示欄２０６には、データ処理装置１００で管理されている位置情報の一覧が表示される。これらの位置情報は、入力装置１０６（例えば、キーボード）から、マニュアル操作で入力することもできる。また、ネットワークインターフェース１１０あるいは着脱可能記憶媒体駆動装置１１２を通じて、外部からＣＳＶ（Comma Separated Value format）ファイルの形式で入力データ処理装置１００に入力することもできる。
【００７４】
リスト表示欄２０６に示されているように、本実施形態において位置情報は、書き込みフラグ、名前、よみ、都道府県、市町村１、市町村２、町域、丁目、戸番、電話番号、アイコン、ジャンル、タイプ、変換の各フィールドを有している。なお、データ処理装置１００が、ハードディスク上に有する位置情報ファイルの構造も、リスト表示欄２０６に表示された位置情報の構成と同様である。リスト表示欄２０６の１つの行が、１つの位置情報を表示している。
【００７５】
書き込みフラグのフィールド（図１４では、チェックボックスが表示されている）には、その位置情報が、巡回リストとして送信する対象であるか否かを指定できる。なお、書き込みフラグをチェックした状態で、メニューバー２０２のファイルメニューからプルダウンメニューを表示し、「メモリカードへ書き込む」というメニュー項目を実行すると、メモリカードへの書き込みを実行することもできる。ナビゲーション装置４側にメモリカードが挿入可能な場合、そのメモリカードをナビゲーション装置４に挿入することで、メモリカードに格納されている位置情報を目的地として設定することも可能である。
【００７６】
名前は、位置情報の名称である。名前は、ユーザが、地点を認識するための識別情報として用いられる。但し、名前は、地点に位置する施設の名称ということもできる。例えば、名前は、「物件Ａ」という不動産名、「物件Ｂ」という不動産名（アパートやマンション名、若しくは施工業者名によって特定される物件名）である。よみは、名称の読みをひらかなであらわした文字列である。都道府県は、その地点が位置する都道府県である。市町村１には、市町村名を設定する。市町村２には、区が存在する場合に、区の名称を設定する。町域は市町村内に、さらに町名あるいは地区名がある場合に、その名称を設定する。丁目および戸番には、丁目および番地等を設定する。電話番号には、その地点の施設に電話がある場合に、その電話番号を設定する。アイコンは、その地点の位置を画面に表示する画像記号（グラフイックオブジエクトともいう）である。アイコンが表示される地図上の位置が、地点の緯度、および経度の位置である。位置情報が、ナビゲーション装置４に書き込まれ、その地点に経路誘導される場合に、アイコンが表示される地図上の位置が、経路誘導の目的地となる。リスト表示欄２０６のアイコンのフィールドには、その画像記号が縮小して表示される。このアイコンの画像は、データ処理装置１００が提供するアイコンのリストから選択することができる。
【００７７】
ジャンルは、その位置情報の地点に位置する施設を分類する分類区分を示す情報である。本実施形態では、ジャンルとして不動産が表示されているが、ジャンルは、例えば、飲食店、動物園、水族館、テーマパーク、コンビニエンスストア、ゴルフ場等でもよい。タイプは、位置情報が、組織間で共通に利用されるデータか、組織個別に使用するデータかを示す。組織とは、例えば、１つの企業である。すなわち、「個別」の場合には、当該企業だけでプライベートに利用されるデータであることを示す。個別のデータには、例えば、企業の訪問先、営業所、レンタカーの返却先等を例示できる。
【００７８】
タブ表示部２０３には、表示するデータを選択するためのタブが表示される。例えば、営業所データというラベルの付されたタブによって、営業所データをリスト表示欄２０６に表示することができる。また、施設データいうラベルの付されたタブによって、施設データをリスト表示欄２０６に表示することができる。
【００７９】
操作ボタン列２０４には、リスト表示欄２０６に表示された位置情報に対する操作ボタンが定義されている。図１４の例では、ナビゲーション装置４に追加する位置情報として、営業所データと、施設データとに区分して、データ処理装置１００で管理している。また、例えば、全選択ボタンを入力装置１０６としてのマウスで押下することによって、リスト表示欄２０６に表示されたすべての位置情報の書き込みフラグのチェックボックスにチェックマークが設定される。逆に、全解除ボタンを押下することによって、すべてのチェックマークが解除される。これにより、巡回リストを容易に生成することができる。
【００８０】
ここで、図１５は、巡回リストの一例を示す。データ処理装置１００によれば、データ処理装置１００で作成された位置情報若しくは予め格納されている位置情報に基づいて、巡回リストの作成が可能である。本態様では、巡回リストが、名称と経度・緯度によって構成されているが、ナビゲーション装置４で読み取り可能であればよく、電話番号等であってもよい。
【００８１】
（サーバ）
次に、第二実施形態に係るサーバについて説明する。図１６は、サーバ２ａの機能ブロック図を示す。サーバ２ａは、ＣＰＵ（中央演算処理装置）１１、制御部１１ａ、操作部１４、表示部１５、インターフェース部１８から構成されている。制御部１１ａは、メモリ１３、記憶部（ハードディスクドライブ）１２、抽出部１６、メール送受信部１７ａ、位置情報取得部１９、サーバ側順位付け部１９ａ、基準情報取得部１９ｂから構成されている。
【００８２】
第一実施形態に係るサーバ２と異なる点について説明する。メール送受信部１７ａは、データ処理装置１００から送信されるメールをインターフェース部１８を介して受信する。位置情報取得部１９は、受信したメールから巡回リストを構成する複数の位置情報を取得し、記憶部１２又はメモリ１３に格納する。換言すると、データ処理装置１００によって作成・送信された巡回リストが、サーバ２ａの記憶部１２またはメモリ１３に格納される。また、メール送受信部１７ａは、順位付けが実行されると、順位付け後の巡回リストをメールに記述してインターフェース部１８を介して送信する。メールの形式は、特に限定されず、テキスト形式、ＨＴＭＬ（HyperText Markup Language）形式のいずれであってもよい。なお、メール送受信部１７ａ及び位置情報取得部１９は、本発明のサーバ側位置情報取得手段を構成する。
【００８３】
サーバ側順位付け部１９ａは、後述する基準情報取得部１９ｂで取得される基準情報に基づいて複数の位置情報の順位付けを行う。順位付けは、基準情報取得部１９ｂが取得する、渋滞情報や目的地までの所要時間情報に基づいて行うことができる。本態様では、データ処理装置１００からのメールに含まれる巡回リストを構成する複数の位置情報の順位付けが行われるが、順位付けを行う対象はこれに限定されない。サーバ側順位付け部１９ａは、抽出部１６で抽出された位置情報の順位付けを行うこともできる。順位付けの詳細については後述する。
【００８４】
（携帯端末・ナビゲーション装置）
第二実施形態に係る目的地設定システム２ａにおいても、携帯端末３及びナビゲーション装置４の構成は、第一実施形態に係る目的地設定システムと同じである。従って、説明は省略する。
【００８５】
＜処理フロー＞
次に第二実施形態に係る目的地設定システム１ａで行われる目的地設定処理フローについて説明する。図１７は、第二実施形態に係る目的地設定処理フローを示す。
【００８６】
ステップＳ２１では、データ処理装置１００を用いて巡回リストの作成が行われる。すなわち、不動産業者の営業担当者又は営業担当者に業務を振り分ける管理者が、データ処理装置１００の表示装置１０８に表示される画面を見ながら入力装置１０６を操作することで巡回リストが作成される（図１４参照）。巡回リストの作成が完了するとステップＳ２２へ進む。
【００８７】
ステップＳ２２では、作成された巡回リストがメールによって送信される。すなわち、複数の位置情報（本態様では、不動産の位置情報）がメールに記述されて送信される。ここで、図１８は、作成した巡回リストをメールに記述する管理画面の一例を示す。地点情報管理画面２００（図１４参照）のタブ表示部２０３の巡回リストボタンが押されると図１８の画面に切り替わる。図１８に示す画面では、作成された巡回リストの他、メール作成ボタンが設けられている。このメール作成ボタンが押されると巡回リストを構成する複数の位置情報がメールに記述される。図１９は、送信されるメールのテンプレートの一例を示す。図１８に示す管理画面においてメール作成ボタンが押されると図１９に示す画面が立ち上がる。図１９に示す画面においてメール送信ボタンが押されると、記述された複数の位置情報が送信される。なお、本態様では、データ処理装置１００で巡回リストが作成される際に、巡回リストの作成者（不動産業者の営業担当者又は営業担当者に業務を振り分ける管理者）によって予め順位付けがされている。すなわち、本態様では、物件Ａ、物件Ｂ、物件Ｃの順序に順位付けがされている。メール送信が完了すると、ステップＳ２３へ進む。
【００８８】
ステップＳ２３では、サーバ２ａのメール送受信部１７ａによってメールがインターフェース部１８を介して受信される。すなわち、データ処理装置１００で作成された巡回リストを含むメールが受信される。続いてステップＳ２４では、位置情報取得部１９によって、受信したメールから巡回リストを構成する複数の位置情報が取得され、記憶部１２又はメモリ１３に格納される。位置情報の取得が完了するとステップＳ２５へ進む。
【００８９】
ステップＳ２５では、サーバ側順位付け部１９ａにより、巡回リストを構成する複数の位置情報の順位付けが行われる。すなわち、サーバ側順位付け部１９ａは、基準情報取得部１９ｂによって取得された基準情報に基づいて、巡回リストを構成する複数の位置情報の順位付けを行う。基準情報とは、例えば、渋滞に関する渋滞情報や目的地までの所要時間に関する所要時間情報である。基準情報は、基準情報取得部が、基準情報を提供するサーバにアクセスして取得してもよく、また、基準情報を提供するサーバから配信してもらうことで取得してもよい。本態様では、データ処理装置１００で巡回リストが作成される際に、物件Ａ、物件Ｂ、物件Ｃといった順位付けが予め行われている。例えば、物件Ｂへのルートに渋滞が発生しているような場合であって、物件Ｃを先に案内した方が効率がよい場合には、サーバ側順位付け１９ａは、物件Ａ、物件Ｃ、物件Ｂといったように順位付けを行う。これにより、データ処理装置１００で巡回リストを作成する際には、認識していなかった情報（例えば渋滞情報等）を考慮した順位付けをサーバ２ａで行うことができ、営業担当者の巡回をより効率よく行うことが可能となる。順位付けが完了すると、ステップＳ２６へ進む。
【００９０】
ステップＳ２６では、順位付けがされた複数の位置情報がメールに記述され、送信される。すなわち、サーバ側順位付け部１９ａによって、物件Ａ、物件Ｃ、物件Ｂの順序、かつ夫々に対応する経度緯度がメールに記述される。なお、この際、経度緯度に加えて、営
業担当者毎の物件情報が管理されるＵＲＬ、送信されたメールに貼り付けられた送信ボタン２９を押すことで経度緯度や納期情報を送信を可能とするためのコマンドも記述される。メールへの記述が完了すると、複数の位置情報が携帯端末３へ送信される。メールの送信が完了すると、ステップＳ２７へ進む。なお、本態様では、サーバ側順位付け部１９ａがメールへの記述を行っているが、メールへの記述はメール送受信部１７ａが行ってもよい。
【００９１】
ステップＳ２７では、第一実施形態と同じく、携帯端末３の受信部２７によって、サーバ２ａから送信されたメールが受信される（第一実施形態におけるステップＳ０３に相当する。）。受信したメール画面に表示されているＵＲＬへアクセスすると、携帯端末３の表示部２５にはＷｅｂページが表示される（図６参照。）Ｗｅｂページに設けられている送信ボタン２９が押されることで、Ｗｅｂページに表示されている複数の位置情報が赤外線通信によってナビゲーション装置４に転送される。ナビゲーション装置４への位置情報の転送が完了すると、ステップＳ２８へ進む。
【００９２】
ステップＳ２８では、ナビゲーション装置４の受付部４１によって、赤外線通信部３８で受信した携帯端末３からの赤外線を通じて複数の位置情報（物件Ａ、物件Ｃ、物件Ｂの経度緯度）、物件毎の納期情報が取得される。そして、物件Ａ、物件Ｂ、物件Ｃの順序で夫々が目的地とし設定される。目的地の設定が完了すると経路案内が開始される。
【００９３】
以上説明した第二実施形態に係る目的地設定システム１ａによれば、複数の位置情報を携帯端末から同時に受け付けることができるので、その都度目的地を設定するといった煩わしさを解消することができる。更に、第二実施形態の目的地設定システム１ａによれば、データ処理装置１００で作成された巡回リストを構成する複数の位置情報をサーバ２ａによって渋滞情報等を考慮した順位付けをした上で最終的に目的地として設定することができる。従って、複数の位置情報の優先順位を不動産業者の営業担当者が自ら順位付けする必要がなく、また、不動産業者の営業業務の効率化を図ることができる。更に、サーバ２ａは、ナビゲーション装置４が取得するＶＩＣＳ情報よりも更にリアルタイムな情報を得ることができるので、営業業務の更なる効率化を図ることが可能となる。
【００９４】
なお、第二実施形態においても、不動産業者の営業に適用した場合を例に説明したが、本発明は、これに限定されるものではない。目的地設定システムは、例えば、ボトリングの巡回、保険業務の営業にも好適に用いることができる。
【００９５】
[第三実施形態]
上述した実施形態に係る目的地設定システムは、例えば以下のように構成してもよい。例えば、第二実施形態に係るサーバ２ａが行う順位付けの実行を携帯端末３からの問い合わせがあった際に行うようにしてもよい。具体的には、携帯端末３を介してサーバ２ａへアクセスし、例えば、物件Ａ、物件Ｂ、物件Ｃの順位付けを行うよう指示してもよい。このような第三実施形態に係る態様は、第一実施形態、第二実施形態のいずれにせよ、経路案内開始後に道が混雑し始めた場合等に有用である。ナビゲーション装置４では、ＶＩＣＳ情報の取得が可能であるが、ＶＩＣＳ情報の取得にはタイムラグがあり、サーバの方がリアルタイムな情報を取得できる場合があるからである。
【００９６】
ここで、図２０は、携帯端末からの要求に応じてサーバにおいて順位付けを行う処理フローを示す。ステップＳ３１では、サーバ側順位付け部１９ａによって、携帯端末３からの要求（順位付けの問い合わせ）があったか否か判断される。要求があった場合には、ステップＳ３２へ進む。一方、要求がなかった場合には、処理が終了する。図２１は、サーバでの順位付けを要求する、携帯端末３の表示部２５に表示されるＷｅｂページの一例を示す。図２１に示す画面では、サーバ２ａの記憶部１２又はメモリ１３に格納されている
複数の位置情報（本態様では、物件Ａ、物件Ｂ、物件Ｃ等）が表示され、夫々の位置情報にはチェックボックスが付され、要求をおこなう対象が選択可能である。また、図２１に示す画面では、位置情報の下方に、「順位付け／経路探索を要求しますか？」とのコメントと、要求を実行する送信ボタン２９ａが表示されている。不動産業者の営業担当者は、Ｗｅｂページに表示されている物件を確認し、この内容でよければ、送信ボタン２９ａを押すことでサーバ２ａに対して、順位付けの要求が行うことができる。なお、本態様では、「サーバでの順位付け」の項目の下に、「サーバでの経路探索」の項目が表示されている。サーバ２ａに、順位付けの他にナビ機能を設けることで、この経路探索ボタンを選択された際、サーバによる経路探索が可能となる。なお、順位付けの対象は、携帯端末３を介してアクセス可能な情報であればよい。従って、第二実施形態におけるデータ処理装置１００で作成された巡回リストを構成する位置情報でもよく、また、第一実施形態のサーバ２に予め格納されている位置情報でもよい。
【００９７】
ステップＳ３２（第二実施形態の処理フローにおけるステップＳ２５に相当する。）では、サーバ側順位付け部１９ａは、基準情報取得部１９ｂによって取得された基準情報に基づいて、巡回リストを構成する複数の位置情報の順位付けを行う。ステップＳ３３（第二実施形態の処理フローにおけるステップＳ２６に相当する。）では、順位付けがされた複数の位置情報がメールに記述され、送信される。続いて、ステップＳ３４（第二実施形態の処理フローにおけるステップＳ２７に相当する。）では、携帯端末３の受信部２７によって、サーバ２ａから送信されたメールが受信される。そして、ステップＳ３５（第二実施形態の処理フローにおけるステップＳ２８に相当する。）では、ナビゲーション装置４の受付部４１によって、赤外線通信部３８で受信した携帯端末３からの赤外線を通じて複数の位置情報（順位付けが行われた位置情報）が取得される。そして、順位付けに従って目的地とし設定される。目的地の設定が完了すると経路案内が開始される。
【００９８】
第三実施形態に係る目的地設定システムによれば、不動産業者の営業担当者が必要なときに、自らのタイミングでサーバによる順位付けを行うことができる。従って、例えばナビゲーション装置４におけるＶＩＣＳ情報の受信状態が芳しく無い場合に、サーバが有するリアルタイムな情報を考慮した目的地の設定が可能となる。
【００９９】
[変形例]
第二実施形態に係る目的地設定システムのデータ処理装置１００によって巡回リストを作成する際、ルートの指定を行うようにしてもよい。これにより、巡回リストの作成、及び作成された巡回リストに基づく経路誘導に加えて、巡回順序の指定や巡回ルートの指定が可能となる。
【０１００】
ここで、図２２は、巡回リストを構成する位置情報を管理する位置情報管理画面２００の例である。基本的には、第二実施形態に係る位置情報管理画面２００と同じであるが、本態様では、編集入力画面に、巡回順序及び経由地に関する項目が設けられ、巡回順序及び経由地の追加、変更が可能となっている。例えば、物件Ａの巡回順序を１とし、物件Ｂの巡回順序を２とすることで、巡回先の巡回順序の指定が可能となる。また、物件Ａの経由地として「○○交差点」と指定することで、目的地までの道のり（ルート）の指定が可能となる。つまり、第一実施形態の態様では、目的地は点としてしか設定することしかできなかったが、本態様では、目的地までの道のりを線として指定することが可能となる。なお、経由地は、ナビゲーション装置１が誘導する際に用いることができる情報（例えば、経度緯度情報）であればよく、また、複数設定可能にしてもよい。
【０１０１】
なお、上記のように経由地が指定された場合のサーバ２ａの処理は、経由地が指定されない場合、つまり第二実施形態で説明した処理に準じて行ってもよい。この場合には、経由地も位置情報の一つとして認識し、渋滞情報等を考慮して順位付けを行なうようにすれ
ばよい。但し、このような処理では、指定したルートに基づく経路誘導を行うことができなくなる。そこで、サーバ側順位付け部１９ａが、経由地に関する情報があるか否かを判断し、経由地がある場合、順位変更を行わないようにしてもよい。これにより、データ処理装置１００で指定されたルートに基づく経路案内を実行することができる。
【０１０２】
以上、本発明の好適な実施形態について説明したが、本発明のナビ制御装置、ナビゲーション装置、及び目的地設定システムはこれらに限らず、可能な限りこれらの組合せを含むことができる。
【図面の簡単な説明】
【０１０３】
【図１】目的地設定システムの概略構成を示す。
【図２】サーバの機能ブロック図を示す。
【図３】記憶部に格納されるデータベースの一例を示す。
【図４】携帯端末の機能ブロック図を示す。
【図５】サーバから携帯端末に送信されたメールの表示状態の一例を示す。
【図６】携帯端末の表示部に表示されるＷｅｂページの一例を示す。
【図７】ナビゲーション装置の概略構成を示す。
【図８】ナビ制御部の機能ブロック図を示す。
【図９】渋滞情報のデータベースの一例を示す。
【図１０】目的地設定システムで行われる処理フローを示す。
【図１１】ナビゲーション装置のディスプレイの表示状態を示す。
【図１２】第二実施形態の目的地設定システムの概略構成を示す。
【図１３】データ処理装置のハードウェア構成を示す。
【図１４】巡回リストを構成する位置情報を管理する位置情報管理画面の一例を示す。
【図１５】巡回リストの一例を示す。
【図１６】第二実施形態に係るサーバの機能ブロック図を示す。
【図１７】第二実施形態に係る目的地設定処理フローを示す。
【図１８】作成した巡回リストをメールに記述する管理画面の一例を示す。
【図１９】送信されるメールのテンプレートの一例を示す。
【図２０】携帯端末からの要求に応じてサーバにおいて順位付けを行う処理フローを示す。
【図２１】サーバでの順位付けを要求する、携帯端末の表示部に表示されるＷｅｂページの一例を示す。
【図２２】巡回リストを構成する位置情報を管理する位置情報管理画面の一例を示す。
【符号の説明】
【０１０４】
１・・・目的地設定システム
２・・・サーバ
３・・・携帯端末
４・・・ナビゲーション装置
５・・・車両
１０、２０・・・バス
１１、２１・・・ＣＰＵ
１２、２２・・・記憶部
１３、２３・・・メモリ
１４、３７・・・操作部
１５、２５・・・表示部
１６・・・抽出部
１７・・・メール送信部
２６・・・インターフェース部
２７・・・受信部
２８・・・転送部
２９・・・送信ボタン
３０・・・ナビ制御部
３１・・・ディスク再生部
３２・・・メモリカード再生部
３３・・・ＴＶ受信部
３４・・・ラジオ受信部
３５・・・ディスプレイ
３６・・・ＧＰＳ情報受信部
３８・・・赤外線通信部
４１・・・受付部
４２・・・現在位置情報取得部
４３・・・順位付け部
４４・・・状態情報取得部
４５・・・渋滞情報記憶部
４６・・・目的地設定部
１０１・・ＣＰＵ
１０２・・メモリ
１０４・・ハードディスク駆動装置
１０６・・入力装置
１０８・・表示装置
１１０・・ネットワークインターフェース
１１２・・着脱可能媒体駆動装置
１１４・・メモリカード・リーダ・ライタ
【図１】
2009115786.tif 000003
【図２】
2009115786.tif 000004
【図３】
2009115786.tif 000005
【図４】
2009115786.tif 000006
【図５】
2009115786.tif 000007
【図６】
2009115786.tif 000008
【図７】
2009115786.tif 000009
【図８】
2009115786.tif 000010
【図９】
2009115786.tif 000011
【図１０】
2009115786.tif 000012
【図１１】
2009115786.tif 000013
【図１２】
2009115786.tif 000014
【図１３】
2009115786.tif 000015
【図１４】
2009115786.tif 000016
【図１５】
2009115786.tif 000017
【図１６】
2009115786.tif 000018
【図１７】
2009115786.tif 000019
【図１８】
2009115786.tif 000020
【図１９】
2009115786.tif 000021
【図２０】
2009115786.tif 000022
【図２１】
2009115786.tif 000023
【図２２】
2009115786.tif 000024